(57)【要約】  【課題】  上籠及び下籠を有する食器籠を利用する食器洗い機において、上籠に食器を載置した後に下籠に食器を載置する際、スペースが狭く、上籠や下籠に収納した食器に当接して、作業性が悪く、収納しようとする食器を破損するおそれがあった。【解決手段】  筐体１から前方に引き出し自在であって上面が開口した洗浄槽２と、該洗浄槽内に設置され食器類を収容する上籠２５及び下籠２４と、を備え、前記洗浄槽２は、底部に前記下籠２４を載置し支持する第１支持部２７と、前記下籠２４より上方に前記上籠２５の食器載置棚２５ａが配置されるように前記上籠２５を載置し支持する第２支持部２８と、を有し、前記上籠２５は、前記筐体内に押入れ可能に前記第２支持部２８に載置する第１の状態と、該第１の状態時の前記上籠２５の保持位置より上方位置で保持される第２の状態とを選択的に切り替えられる構成である。【選択図】  図８
2007236800.tif 000002
【特許請求の範囲】
【請求項１】
前面が開口した筐体と、該筐体から前方に引き出し自在であって上面が開口した洗浄槽と、該洗浄槽内に設置され食器類を収容する食器籠と、前記洗浄槽内に水を噴射する水噴射手段を備えた食器洗い乾燥機において、
前記食器籠は、下籠と、該下籠の上方の少なくとも一部を覆うように食器載置棚が形成された上籠とを有し、
前記洗浄槽は、底部に前記下籠を載置し支持する第１支持部と、前記下籠より上方に前記上籠の食器載置棚が配置されるように前記上籠を載置し支持する第２支持部と、を有し、
前記上籠は、前記筐体内に押入れ可能に前記第２支持部に載置する第１の状態と、該第１の状態時の前記上籠の保持位置より上方位置で保持される第２の状態とを選択的に切り替えられるよう構成されていることを特徴とする食器洗い機。
【請求項２】
前記上籠は、脚部を有し、該脚部は第１嵌合部と該第１嵌合部より上方位置に配置した第２嵌合部とを有し、
前記第１の状態は、前記第２支持部に前記上籠の前記第２嵌合部を載置し、また前記第２の状態は、前記第２支持部に前記上籠の前記第１嵌合部を載置することを特徴とする請求項１に記載の食器洗い機。
【発明の詳細な説明】
【技術分野】
【０００１】
本発明は食器洗い機に関する。
【背景技術】
【０００２】
家庭用の食器洗い機では、前面が開口した筐体と、該筐体から前方に引き出し自在であって上面が開口した洗浄槽と、該洗浄槽内に設置され食器類を収容する食器籠と、前記洗浄槽内に水を噴射する水噴射手段とを備えている（特許文献１参照）。
【０００３】
かかる食器籠は、洗浄槽底面ほぼ全体にわたる広さの下段を有し、かかる下段の上方を一部覆うように食器載置棚を有する上段を有している。
【特許文献１】特開２００３−２４２６２号公報
【発明の開示】
【発明が解決しようとする課題】
【０００４】
かかる食器籠は、食器載置棚は籠上段に回動可能に取り付けられているため、籠下段に食器を載置する際は、食器載置棚を回動させて籠下段の上方を開放し、作業をしやすくしている。
【０００５】
しかしながら、食器載置棚に食器やコップを載置した後、籠下段に追加して食器を載置使用とすると、食器載置棚を回動できず、食器載置棚を避けながら挿入しなければならなくなる。そのため、使用勝手が悪くなるほか、挿入時に食器が食器載置棚などに当たって、食器を破損するおそれがある。
【０００６】
本発明は、斯かる課題を解決するためのものである。
【課題を解決するための手段】
【０００７】
上記課題を解決するために成された本発明は、前面が開口した筐体と、該筐体から前方に引き出し自在であって上面が開口した洗浄槽と、該洗浄槽内に設置され食器類を収容する食器籠と、前記洗浄槽内に水を噴射する水噴射手段を備えた食器洗い乾燥機において、前記食器籠は、下籠と、該下籠の上方の少なくとも一部を覆うように食器載置棚が形成された上籠とを有し、前記洗浄槽は、底部に前記下籠を載置し支持する第１支持部と、前記下籠より上方に前記上籠の食器載置棚が配置されるように前記上籠を載置し支持する第２支持部と、を有し、前記上籠は、前記筐体内に押入れ可能に前記第２支持部に載置する第１の状態と、該第１の状態時の前記上籠の保持位置より上方位置で保持される第２の状態とを選択的に切り替えられるよう構成されていることを特徴としている。
【０００８】
また、前記上籠は、脚部を有し、該脚部は第１嵌合部と該第１嵌合部より上方位置に配置した第２嵌合部とを有し、前記第１の状態は、前記第２支持部に前記上籠の前記第２嵌合部を載置し、また前期第２の状態は、前記第２支持部に前記上籠の前記第１嵌合部を載置することを特徴としている。
【発明の効果】
【０００９】
本発明によれば、上籠に食器を載置した後に、下籠に食器を追加して載置する場合でも、下籠と上籠との間隔を広くでき、挿入しやすくなっている。
【発明を実施するための最良の形態】
【００１０】
以下、本発明の一実施形態による食器洗い乾燥機について図面を参照して説明する。図１及び図２は本実施形態による食器洗い乾燥機の全体構成を示す概略側面断面図であり、図１は洗浄槽を筐体に収納した状態、図２は洗浄槽を筐体から引き出した状態を示している。
【００１１】
まず本食器洗い乾燥機の概略構成を説明する。前面が開口した筐体１の内部には上面開口３を有する洗浄槽２が配設され、洗浄槽２の内部には食器類を整列するための食器籠１６が設置されている。洗浄槽２の前壁２ａには、筐体１の前面開口を閉塞するドアを兼ねた前面パネル４が着脱可能に螺設されており、前面パネル４と洗浄槽２とは一体に、筐体１の両側壁面内側に略水平に設置されたレール５に沿って前方に引き出し自在となっている。
【００１２】
筐体１内の上方空間には、洗浄槽２の上面開口３を閉塞するための上蓋１０が、筐体１の側壁面内側に一端が軸支され、他端が上蓋１０の側面に軸支された左右一対の平行リンク１１により揺動自在に支持されている。洗浄槽２が筐体１内に収納された状態では、図１に示すように上蓋１０は洗浄槽２の上面に密着して上面開口３を閉塞し、洗浄槽２が筐体１から前方に引き出された状態では、図２に示すように上蓋１０は前方にせり出しつつ持ち上がった状態で保持される。このように、上蓋１０は前後方向に移動するため、洗浄槽２の前壁２ａと前面パネル４との間にはその移動距離を見込んだ間隙が形成されている。
【００１３】
このように上蓋１０を鉛直方向でなく斜め前後方向に上下動させる構成とすると、洗浄槽２を筐体１内に収納する際に、後方側へ移動している洗浄槽２の上面開口３に対して上蓋１０も僅かに後方側へ移動しつつ上方から降下する。すなわち、上蓋１０が洗浄槽２の上縁部に接触する際にその接触角度が９０°よりも小さくなるので、上蓋１０の下面（又は洗浄槽２の上縁部）に周設されているシール部材に無理な力が掛からず、シール部材の劣化が軽減できるという利点がある。
【００１４】
洗浄槽２の後壁２ｂには図示しない給水バルブを備えた伸縮自在の給水管９が接続されており、給水バルブが開かれると外部の水道栓等から供給された水が給水管９を通して洗浄槽２内に注がれる。洗浄槽２の前部底面には大きく窪んだ貯水槽７が連通して配設されており、洗浄槽２内に注がれた水は貯水槽７に流れ込んで貯留される。この貯水槽７の上部には、食器洗浄時に食器から流れ落ちる食物の残滓を捕集するためのメッシュ状の残滓捕集フィルタ１５が着脱自在に設けられている。洗浄槽２の底部中央には、上面に複数のノズルが形成された回転自在のアーム６（水噴射手段）が設けられるとともに、洗浄槽２の底面下方には洗浄兼排水ポンプ８が配置されている。洗浄兼排水ポンプ８は両回転方向に回転駆動可能なモータを含み、このモータが正転方向に回転するとき洗浄兼排水ポンプ８は洗浄ポンプとして機能し、逆転方向に回転するとき洗浄兼排水ポンプ８は排水ポンプとして機能する。
【００１５】
洗浄槽２の下方には洗浄兼排水ポンプ８を覆うように底部カバー２ｃが取り付けられており、底部カバー２ｃの後部には主として図示しない排水ホース等を導出するため開口２ｄが設けられ、更に下面には後方側に集中して通気穴２ｅが穿孔されている。また、洗浄槽２の底部にあって洗浄運転やすすぎ運転時の貯水水位Ｌよりも低い位置には、洗浄槽２内に貯留された水を温めるとともに乾燥時には洗浄槽２内の空気を加熱するためのループ状のシーズヒータ１２が配設されている。
【００１６】
前面パネル４と洗浄槽２の前壁２ａとの間の間隙には、空気流の入口である吸気口１８が筐体１内に向けて開口し、出口である送風口１９が洗浄槽２の前壁２ａ下方に開口した送風路１７が配設されており、送風路１７内にあって吸気口１８の近くにはブロアモータ２１により回転駆動されるファン２０が設けられている。送風口１９は、後記の理由により、洗浄運転やすすぎ運転の際に洗浄槽２内に貯留される水の貯水水位Ｌよりも高い位置に設けられている。また、前面パネル４及び洗浄槽２の前壁２ａの上部には、洗浄槽２内から機外へ排気を行うための排気路２２が設けられている。この排気路２２の出口である排気口２３の上方、つまり前面パネル４の最上部には操作パネル１４を有する操作部１３が設けられている。この操作部１３で各種操作を行うことによって、使用者は本食器洗い乾燥機に運転を行わせることができる。
【００１７】
而して、洗い運転やすすぎ運転時には、図示しない給水バルブが開放されて、給水管９を通して洗浄槽２内に水が供給される。洗浄槽２内に供給された水は貯水槽７を含む洗浄槽２の底部に溜まり、貯水水位Ｌに達すると給水は停止される。このときシーズヒータ１２に加熱電流が供給され、シーズヒータ１２との熱交換によって貯留水は所定温度まで加熱される。洗浄兼排水ポンプ８が洗浄ポンプとして駆動されると、貯水槽７から吸引された温水がアーム６へと圧送され、ノズルから洗浄槽２内に噴射される。これにより、食器籠１６に収容されている食器類に水が吹き掛かって汚れが落とされる。食器に付着していた食物の残滓は残滓捕集フィルタ１５に捕集され、水は貯水槽７に流れ込んで再び循環して使用される。
【００１８】
前記食器籠１６は、下籠２４及び該下籠２４と分離している上籠２５とから構成されている。前記下籠２４は、洗浄槽２の底面内径と略等しい大きさであり、図３に示すように、外枠を形成するステンレス製線材で形成された外形フレーム２４ａ、外形フレーム２４ａに連結され、水平面方向に平行に２本１組で渡して枠組みを形成する食器載置枠２４ｂ、該食器載置枠２４ｂから上方にステンレス製線材を延設させ、皿の糸底などを支持して食器を立てた状態に保持するする食器保持枠２４ｃを有することにより、皿や茶碗の支持し、載置可能としている。
【００１９】
また、下籠２４は、大皿が支持可能な大皿載置部２４ｄ、中皿や茶碗が支持可能な中皿載置部２４ｅ、小皿が支持可能な小皿載置部２４ｆ、樹脂で形成された箸やスプーンなどの小物収容部２４ｇ、下籠２４を洗浄槽２から取り出す際に持つハンドル２４ｈを有している。小物収容部２４ｇを除く各載置部は、前記食器載置枠２４ｂや食器保持枠２４ｃの幅や垂直方向へ延設した線材の形状を変えておくことにより、大皿や小皿又は丼や茶碗などが対応して載置できるようにしている。
【００２０】
さらに、前記小皿載置部２４ｆは水平方向に渡した線材の一方の端部２４１を中心に回動自在に下籠２４に取り付けられている。小皿載置部２４ｆは、洗浄槽２内に収納した際、残菜捕集フィルタ１５上に配置され、小皿載置部２４ｆを上方に回動することで、下籠２４を洗浄槽２内に収納した状態で残菜捕獲フィルタ１５が取り出せるよう構成されている。
【００２１】
前記上籠２５は、洗浄槽２の引き出し押入れ方向について洗浄槽２内径と略等しい大きさであり、かかる方向と直行する方向について下籠２４の一部を覆うよう構成されている。
【００２２】
また、前記上籠２５は、下籠２４と同様に、ステンレス製の線材を複数連結して枠組みを構成している。そして、コップや湯飲み茶碗などを載置するための食器載置棚２５ａ、該食器載置棚２５ａを略水平方向に支持するとともに、非使用時は垂直方向に回動して支持可能に取り付けた棚連結フレーム２５ｂ、棚連結フレーム２５ｂに取り付けられ、食器載置棚２５ａにコップなどが載置された状態でも持ち上げることが可能な把手部２５ｃ、食品載置棚２５ａの先端部に取り付けられ、洗浄用洗剤が収納可能な洗剤容器２５ｄ、棚連結フレーム２５ｂから下方に延設した脚部２５ｅを有している。なお、前記把手部２５ｃの高さは、食器載置棚２５ａに載置するコップなどより高くし、コップが載置された状態でも上籠２５が持ち上げられるように配慮されている。
【００２３】
前記上籠２５の脚部２５ｅは、前脚部２５１及び後脚部２５２を有している。前脚部２５１は、先端部に下方に開口したコ字形状の第１脚嵌合部２５３と、該第１脚嵌合部２５３より上方位置に配置され、下方に開口したコ字形状の第２脚嵌合部２５４とを有している。
【００２４】
前記洗浄槽内２には、図５及び図６に示すように、下籠２４を洗浄槽２内に収納した際、アーム６から噴射される洗浄水が下籠２４や上籠２５に載置した食器に当たるよう、前記下籠２４をアーム６の上方で支持できる支持部２７が、洗浄槽２の前後左右の壁面に複数突設させて一体に形成されている。また、図５において、前壁２ａ及び後壁２ｂの中央より右側において、前記支持部２７より高い位置に配置された第２支持部２８が設けられている。特に、中央付近の第２支持部２８ａは、上籠２５の第１嵌合部２５３又は第２嵌合部２５４が選択的に嵌合する形状となっている。
【００２５】
斯かる構成において、食器を洗浄するとき、図７に示すように、下籠２４を第１支持部２７に載置して収納し、また上籠２５の第２嵌合部２５４を第２支持部２８に嵌合させて載置し、上籠２５を収納することで、食器籠１６を洗浄槽２内に収納する。この状態が、本発明の第１の状態に相当する。
【００２６】
その後、上籠２５の食品載置棚２５ａは、上方に回動させて垂直状態に保持させて下籠２４の大皿載置部２４ｄ、中皿載置部２４ｅ、小皿載置部２４ｆ、小物収容部２４ｇに食器を収納する。下籠２４に食器の収納が完了した後、上籠２５の食器載置棚２５ａを回動して水平方向に保持させ、その上に食器を載置し、食器籠１６への食器の収納を完了する。このときの下籠２４の食器載置枠２４ｂと上籠２５の食器載置棚２５ａとの距離Ｈは、保持した食器が当接しない距離に設定されている。
【００２７】
この状態で、洗浄槽２を筐体１内に押し入れて収納し、操作パネル１４で洗浄開始の指示、すなわちスタートキーを操作して洗浄を開始させる。
【００２８】
洗浄中、新たに汚れた食器があり、洗浄して間もないので、追加して食器を下籠２４に挿入したいことがある。その場合は、洗浄を中断して洗浄槽２を筐体１から引き出す。使用者は、上籠２５の把手部２５ｃを持ち、洗浄槽２の前壁２ａ及び後壁２ｂに沿わせながら、上籠２５を持ち上げる。そして、上籠２５の前脚部１の第１嵌合部２５３を洗浄槽２の第２支持部２８ａに嵌合させるとともに、後脚部２５２を第２支持部２８に支持させ、図８に示すように、上方位置に上籠２５を保持させる。この状態が、本発明の第２の状態に相当する。このときの下籠２４の食器載置枠２４ｂと上籠２５の食器載置棚２５ａとの距離Ｈ１は、前述の距離Ｈより大きくなる。このことより、食器が上籠２５や下籠２５に収納した食器などに当接することなく、下籠２４に収納することが容易となる。
【００２９】
前述のように、上籠２５は、第２支持部に対して第１嵌合部２５３又は第２嵌合部２５４を選択的に載置することで、洗浄槽２内で洗浄可能な位置に収納したり、下籠２４への食器の収納や取出しを可能とできる上方位置に、選択的に載置できるものである。
【００３０】
なお、洗浄槽２の第２支持部２８と上籠２５の第１嵌合部２７及び第２嵌合部２８とは、上籠２５が第２支持部２８で支持され、洗浄時の上籠２５の洗浄槽２への収納位置より上方位置で保持されても、上籠２５が洗浄槽２からはみ出ないよう、長さや形状が調整され形成されている。これは、上籠２５が第２支持部２８に載置した場合でも、食器載置棚２５ａに載置したコップなどの食器から下方に滴下した水のしずくがキッチンなどの設置場所の床や周囲に滴下せず、洗浄槽２内に滴下できるようにするためである。
【００３１】
また、洗浄槽２の引き出し押し込み方向の上籠２５の寸法は、洗浄槽２内径と略等しく設計されているため、上籠２５を使用者が持ち上げる際、洗浄槽２の側壁に沿わせて持ち上げることになり、コップなどが載置された上籠２５がふらつかず使用者の手首にひねる力が加わることを防止している。
【図面の簡単な説明】
【００３２】
【図１】本発明の一実施形態による食器洗い乾燥機において洗浄槽を筐体に収納した状態での側面略断面図である。
【図２】本実施形態による食器洗い乾燥機において洗浄槽を筐体から引き出した状態での側面略断面図である。
【図３】下籠の外観図であり、（ａ）は上面図、（ｂ）は上面図において下方から見た側面図、（ｃ）は上面図において右方向から見た側面図である。
【図４】上籠の外観図であり、（ａ）は上面図、（ｂ）は上面図において下方から見た側面図である。
【図５】本実施形態による食器洗い乾燥機において洗浄槽を筐体から引出した状態の上面図である。
【図６】本実施形態による食器洗い乾燥機において洗浄槽を筐体から引出した状態の上面視斜視図である。
【図７】本実施形態による食器洗い乾燥機において、洗浄槽を筐体から引出し、且つ洗浄槽の第２支持部に上籠の第２嵌合部を載置した状態の洗浄槽の縦断面図である。
【図８】本実施形態による食器洗い乾燥機において、洗浄槽を筐体から引出し、且つ洗浄槽の第２支持部に上籠の第１嵌合部を載置した状態の洗浄槽の縦断面図である。おける前面パネルの側面図。
【符号の説明】
【００３３】
１…筐体
２…洗浄槽
２ａ…前壁
２ｂ…後壁
３…上面開口
４…前面パネル
６…アーム
８…洗浄兼排水ポンプ
１０…上蓋
１４…操作パネル
１５…残滓捕集フィルタ
２４…下籠
２５…上籠
２５ａ…第１嵌合部
２５ｂ…第２嵌合部
２７…第１支持部
２８…第２支持部
【図１】
2007236800.tif 000003
【図２】
2007236800.tif 000004
【図３】
2007236800.tif 000005
【図４】
2007236800.tif 000006
【図５】
2007236800.tif 000007
【図６】
2007236800.tif 000008
【図７】
2007236800.tif 000009
【図８】
2007236800.tif 000010